(57)【特許請求の範囲】
【請求項１】
その上でデータ通信も提供することができる接続を用いて第２の電子デバイスによって第１の電子デバイスを充電する方法であって、前記第１の電子デバイスの側において、
前記第２の電子デバイスから第１の電圧レベルで電力供給を受けるステップと、
前記接続においてデータ通信があるかどうかを検出するステップと、
前記接続においてデータ通信がない場合には、前記第１の電圧レベルよりも大きい第２の電圧レベルで充電されるよう要求するためにメッセージを前記第２の電子デバイスへ送信し、且つ前記第２の電圧レベルで充電され続けるように前記メッセージを前記第２の電子デバイスへ周期的に送信するステップと、
前記第２の電子デバイスから前記第２の電圧レベルで電力供給を受けるステップと
を有する方法。
【請求項２】
前記接続は、ユニバーサル・シリアル・バス・プロトコルに従う、
請求項１に記載の方法。
【請求項３】
前記第２の電子デバイスのＵＳＢポートのＵＳＢ＿ＤＰピン及びＵＳＢ＿ＤＮピンが短絡される場合に、前記接続においてデータ通信がないと検出するステップ
を更に有する請求項２に記載の方法。
【請求項４】
前記第１の電圧レベルは５Ｖ直流であり、前記第２の電圧レベルは１２Ｖ直流である、
請求項２に記載の方法。
【請求項５】
前記第１の電子デバイスのＵＳＢポートのＵＳＢ＿ＤＰピンを介して前記メッセージを送信するステップ
を更に有する請求項２から４のいずれか一項に記載の方法。
【請求項６】
前記メッセージは心拍パルスの形をとる、
請求項１から５のいずれか一項に記載の方法。
【請求項７】
ポートを設けられ、接続により電子デバイスから第１の電圧レベルで電力供給を受ける装置であって、
前記接続においてデータ通信があるかどうかを検出し、
前記接続においてデータ通信がない場合には、前記第１の電圧レベルよりも大きい第２の電圧レベルで充電されるよう要求するためにメッセージを前記電子デバイスへ送信し、且つ前記第２の電圧レベルで充電され続けるように前記メッセージを前記第２の電子デバイスへ周期的に送信し、
前記電子デバイスから前記第２の電圧レベルで電力供給を受ける
よう構成されるプロセッサを有する装置。
【請求項８】
前記接続は、ユニバーサル・シリアル・バス・プロトコルに従う、請求項７に記載の装置。
【請求項９】
前記電子デバイスのＵＳＢポートのＵＳＢ＿ＤＰピン及びＵＳＢ＿ＤＮピンが短絡される場合に、前記接続においてデータ通信がないと検出するように前記プロセッサが更に構成される、請求項８に記載の装置。
【請求項１０】
前記装置のＵＳＢポートのＵＳＢ＿ＤＰピンを介して前記メッセージを送信するように前記プロセッサが更に構成される、請求項８に記載の装置。
【請求項１１】
心拍パルスの形で前記メッセージを送信するように前記プロセッサが更に構成される、請求項７から１０のいずれか一項に記載の装置。
【発明の詳細な説明】
【技術分野】
【０００１】
本発明は、概して、電子製品に関係がある。特に、本発明は、ＵＳＢ接続により電子デバイスを充電する方法及び装置に関係がある。
【背景技術】
【０００２】
現在、携帯電話機、ＰＤＦ（Personal  Digital  Assistant）及びタブレット型コンピュータのような、ほぼ全ての電子製品は、１つ以上のユニバーサル・シリアル・バス（ＵＳＢ）ポートを設けられている。ＵＳＢは、コンピュータと電子デバイスとの間の接続、通信及び電力供給のためにバスにおいて使用されるケーブル、コネクタ及び通信プロトコルを定義する業界基準である。ＵＳＢは、通信及び電力供給の両方のために、電子デバイスの接続を標準化するよう設計された。
【０００３】
ＵＳＢ標準は、ＵＳＢバッテリ充電仕様を記述する。その仕様によれば、電子デバイスのバッテリは、ＵＳＢポートにより電子デバイスへ接続されている電源から充電され得る。電源は、他の電子デバイスのバッテリから、又はＡＣ電源からであることができる。後者の場合には、アダプタが必要とされる。通常は、ＵＳＢ標準において定義されているマイクロＢコネクタが、接続されている電子デバイスのバッテリを充電するために使用される。仕様に従って、ＵＳＢ充電ポートは、５Ｖの直流（ＤＣ）電力供給で最大５００ｍＡまで供給する。すなわち、電子デバイスがホストとして働いている場合に、それは、ＵＳＢ充電ポートにより５．０Ｖの電力供給を外部の電子デバイスへ出力する。同様に、電子デバイスがクライアントとして働いている場合に、それは、自身のバッテリを充電するために、又は外部の電源から直接に消費電力を供給されるために、外部の電源からの５．０Ｖの電力供給を使用することができる。
【０００４】
目下、電子デバイスの電力レベルは、大いに増大している。その理由として、電子デバイスにおけるより大きいＬＣＤの使用及びビッグ・アプリケーション（例えば、複雑なソフトウェア）の実行が挙げられる。これらは全て、電子デバイスの高い電力消費を生じさせる。しかし、マイクロＢコネクタは非常にコンパクトであるから、その接続ピンは大電流に耐えられない。今までのところ、そのような充電ソリューションによる最大電流は、ほんの２Ａまでしかなく、これ以上上げることは非常に困難である。ＵＳＢポートから充電することは、マイクロＢコネクタの限られた電流定格のために、より難しくなる。最大電流は約２．０Ａであり、その大部分は電子デバイス自体及びそこで実行されるアプリケーションによって使用され、充電のために残された電流は非常に限られ得る。幾つかの場合において、電子デバイスがアクティブであり、ビッグ・アプリケーションを有するならば、それは、電源がＡＣ電源からであるときでさえ、いつでも充電されることを保証され得ない。
【０００５】
ＵＳＢポートによるより信頼でき且つ有効な充電ソリューションが必要とされる。
【発明の概要】
【０００６】
従来技術における上記の問題を鑑みて、ＵＳＢポートにより電子デバイスを充電する方法及び装置が提供される。
【０００７】
本発明の一態様に従って、ＵＳＢ接続を用いて第２の電子デバイスによって第１の電子デバイスを充電する方法が提供される。方法は、前記第１の電子デバイスの側において、前記第２の電子デバイスから第１の電圧レベルで電力供給を受けるステップと、前記ＵＳＢ接続においてデータ通信があるかどうかを検出するステップと、前記ＵＳＢ接続においてデータ通信がない場合には、前記第１の電圧レベルよりも大きい第２の電圧レベルで充電されるよう要求するためにメッセージを前記第２の電子デバイスへ送信するステップと、前記第２の電子デバイスから前記第２の電圧レベルで電力供給を受けるステップとを有する。
【０００８】
本発明の一態様に従って、ＵＳＢ接続を用いて第２の電子デバイスによって第１の電子デバイスを充電する方法が提供される。方法は、前記第２の電子デバイスの側において、
前記第１の電子デバイスを充電するよう第１の電圧レベルを出力するステップと、
前記第１の電圧レベルよりも大きい第２の電圧レベルで充電されるよう要求するための前記第１の電子デバイスからのメッセージの受信があると、前記第１の電子デバイスを充電するために前記第２の電圧レベルを出力するよう切り替わるステップとを有する。
【０００９】
本発明の一態様に従って、ＵＳＢポートを設けられ、ＵＳＢ接続により電子デバイスから第１の電圧レベルで電力供給を受ける装置が提供される。装置は、前記ＵＳＢ接続においてデータ通信があるかどうかを検出し、前記ＵＳＢ接続においてデータ通信がない場合には、前記第１の電圧レベルよりも大きい第２の電圧レベルで充電されるよう要求するためにメッセージを前記電子デバイスへ送信し、前記電子デバイスから前記第２の電圧レベルで電力供給を受けるよう構成されるプロセッサを有する。
【００１０】
本発明の一態様に従って、ＵＳＢポートを設けられ、ＵＳＢ接続により電子デバイスを充電するよう第１の電圧レベルを出力する装置が提供される。装置は、前記第１の電圧レベルよりも大きい第２の電圧レベルで充電されるよう要求するための前記電子デバイスからのメッセージの受信があると、前記電子デバイスを充電するために前記第２の電圧レベルを出力するよう切り替わるよう構成されるプロセッサを有する。
【００１１】
本発明の更なる態様及び利点は、本発明の以下の詳細な説明において見つけられることが理解されるべきである。
【図面の簡単な説明】
【００１２】
添付の図面は、本発明の実施形態の原理を説明するのに役立つ記載とともに実施形態の更なる理解を提供すべく含まれている。本発明は実施形態に制限されない。
【図１】本発明の実施形態に従って、ＵＳＢ接続を用いて電力供給ユニットによって充電されるタブレット型コンピュータを示すブロック図である。
【図２】本発明の実施形態に従って、タブレット型コンピュータの側での、ＵＳＢポートによりタブレット型コンピュータを充電する方法のフローチャートである。
【図３】本発明の実施形態に従って、電力供給ユニットの側での、ＵＳＢポートによりタブレット型コンピュータを充電する方法のフローチャートである。
【発明を実施するための形態】
【００１３】
本発明の実施形態は、これより、図面に関して詳細に記載される。以下の記載において、既知の機能及び構成の幾つかの詳細な記載は、簡潔さのために省略されることがある。
【００１４】
図１は、本発明の実施形態に従って、ＵＳＢ接続を用いて電力供給ユニット（ＰＳＵ；Power  Supply  Unit）によって充電されるタブレット型コンピュータを示すブロック図である。
【００１５】
図１に示されるように、タブレット型コンピュータ１０１は、ＰＳＵ１０２によって充電される。ＰＳＵ１０２は、ＵＳＢ接続によりタブレット型コンピュータ１０１へ接続されている。
【００１６】
上述されたように、ＰＳＵ１０２は、電子デバイス、例えば、パーソナルコンピュータであって、自身のバッテリから又はＡＣ電源からタブレット型コンピュータ１０１を充電するよう電力を供給することができるものである。ＰＳＵ１０２は、ＡＣ電源へ接続されているアダプタであって、ＡＣ電源からタブレット型コンピュータ１０１を充電することができるものであることもできる。この例では、ＰＳＵ１０２は、それとタブレット型コンピュータ１０１とがＵＳＢポートにより接続されている場合に、タブレット型コンピュータ１０１のバッテリを充電する充電器として動作する。一般に、２種類の充電器があり、１つは、ＵＳＢデータ接続を含まない専用の充電器であり、もう１つは、５．０Ｖ電力供給及びデータ接続を含むものである。
【００１７】
図１に示されるように、ＰＳＵ１０２は、タブレット型コンピュータ１０１において設けられているＵＳＢマイクロＢコネクタと接続されるＵＳＢタイプＡコネクタを設けられている。
【００１８】
ＵＳＢコネクタは、レセプタクル又はプラグの形をとることができることが知られる。ホスト又はデバイスにおいて実装されているコネクタはレセプタクルと呼ばれ、ケーブルに取り付けられているコネクタはプラグと呼ばれる。ＵＳＢ仕様は、ＵＳＢポートの定義された機能をサポートする幾つかのタイプのコネクタを定める。ＵＳＢ仕様において定められている標準コネクタには、電力を供給するためにホスト電子デバイスにおいて使用されるタイプＡコネクタと、電力を受けるために対象電子デバイスにおいて設けられるタイプＢコネクタとがある。コネクタのタイプの分類は、ユーザが２つのＵＳＢ電源を誤って互いに接続して、危険なまでに高い電流及び回路故障を引き起こし得ることを防ぐのを目的とする。ＵＳＢ仕様は、ミニ（Mini）及びマイクロ（Micro）コネクタを更に定義する。これらは、デジタルカメラ、スマートフォン、及びタブレット型コンピュータのような、より小さいデバイスのために使用されてきた。ＵＳＢコネクタに関する全情報は、ＵＳＢ仕様から入手することができ、これ以上の詳細は与えられない。説明のために、この例は、ＰＳＵ１０２がタイプＡレセプタクルを使用し、タブレット型コンピュータ１０１が、通常は充電機能のために使用されるマイクロＢレセプタクルを使用することに関して記載される。マイクロＢは、電力供給を出力することができ、このことは、ＵＳＢコネクタのＩＤピンに依存する。デバイスは、ＩＤピンが浮いている場合に電力を受け、ＩＤピンがローである場合に電力供給を出力する。図１に示されるように、タブレット型コンピュータ１０１のＵＳＢコネクタのＩＤピンは浮いている。当業者によって理解されるように、ＵＳＢコネクタの他のタイプも充電のために使用されてよく、その場合にも、本発明の実施形態は適用され得る。
【００１９】
図１に示される構造では、ＵＳＢ＿ＤＰピン及びＵＳＢ＿ＤＮピンは、タブレット型コンピュータ１０１及びＰＳＵ１０２によって、それらの間の通信及び電力供給のために使用される。ＵＳＢ＿ＤＰピンは、ＵＳＢバスの正信号用であり、ＵＳＢ＿ＤＮピンは、ＵＳＢバスの負信号用である。図１に示されるＶｕｓｂピンは電源ピンである。ＩＤピンは、デバイス接続からのホスト接続の区別を可能にする（すなわち、信号接地へ接続される場合にホストであり、接続されない場合にデバイスである。）。そして、ＧＮＤピンは信号接地用である。
【００２０】
デフォルトモードとして、ＰＳＵ１０２は、直流５Ｖの電圧を出力し、ＤＣＰ（専用充電ポート：Dedicated  Charging  Port）として動作する。２つのタイプの充電ポートがＵＳＢバッテリ充電仕様において定義されていることが知られる（すなわち、データ転送もサポートする充電ダウンストリームポート（ＣＤＰ；charge  downstream  port）、及びデータサポートを伴わない専用充電ポート（ＤＣＰ）である。）。
【００２１】
タブレット型コンピュータ１０１は、ＰＳＵ１０２が、ＵＳＢポートにおいてデータ通信がないＤＣＰであるかどうかを検出する。ＵＳＢ仕様に従って、ポータブルデバイスは、Ｄ＋ピン及びＤ−ピンが接続されている方法からＵＳＢポートのタイプを認識することができる。仕様は、ＤＣＰにおいて、Ｄ＋（Ｄａｔａ＋）及びＤ−（Ｄａｔａ−）ラインが短絡されることを定める。すなわち、ＤＣＰとして動作するＰＳＵ１０２について、ＵＳＢ＿ＤＰ及びＵＳＢ＿ＤＮは短絡される。タブレット型コンピュータ１０１がＵＳＢポートによりＰＳＵ１０２へ接続されている場合に、タブレット型コンピュータ１０１は、ＵＳＢ＿ＤＰ及びＵＳＢ＿ＤＮが短絡されていることを検出することによって、ＰＳＵ１０２がＤＣＰであると決定することができる。
【００２２】
タブレット型コンピュータ１０１が、ＰＳＵ１０２がＤＣＰであると検出することによって、ＵＳＢポートにおいてデータ通信がないと決定する場合に、それは、直流１２Ｖ出力に充電するようＰＳＵ１０２に要求するために、所定のパルスをＰＳＵ１０２へ送信する。直流１２Ｖ出力は、説明のためにのみ、この例において示されていることが理解され得る。電圧レベルは、限られた電流を考慮して、充電を改善するために増大される。他のレベルの増大された電圧も、ＵＳＢポートの容量及びアプリケーションコンテキストに応じて使用されてよい。
【００２３】
所定の信号は、ＰＳＵ１０２がＤＣＰであるとタブレット型コンピュータ１０１が検出すると、周期的に送信され得る。一例において、所定のパルスは、心拍パルスであることができる。所定のパルスは、タブレット型コンピュータ１０１のＵＳＢポートのＵＳＢ＿ＤＰピンを通じて送信され得る。ＰＳＵ１０２は、ＵＳＢポートのＵＳＢ＿ＤＮピンを通じて所定のパルスを検出することができる。心拍パルスがＵＳＢポートのＵＳＢ＿ＤＰピンを通じて周期的に送信される場合に、ＰＳＵ１０２がＤＣＰであるかどうかをタブレット型コンピュータ１０１によって更に検出することは不可能である点に留意されたい。そのような場合に、タブレット型コンピュータ１０１は、ＰＳＵ１０２がＤＣＰであると検出すると、とにかく心拍パルスを送信し続ける。
【００２４】
ＰＳＵ１０２がＵＳＢ＿ＤＮピンを通じて所定のパルスを受ける場合に、それは、直流１２Ｖの電圧を出力するよう切り替わる。
【００２５】
この例では、タブレット型コンピュータ１０１は、ＰＳＵ１０２がＤＣＰであると決定した後に、所定のパルスをＰＳＵ１０２へ周期的に送信するので、所定の時間が、ＰＳＵ１０２が直流１２Ｖの電圧を出力し続けるべきかどうかを判定するために設定され得る。所定のパルスが所定の時間内に受信されない場合（例えば、ＵＳＢ接続が失われる場合）には、ＰＳＵ１０２は、直流５Ｖの電圧を出力するよう戻る。所定の時間は、望ましくは、タブレット型コンピュータ１０１が所定のパルスを周期的に送信する期間よりも短い。それにより、ＰＳＵ１０２は、直流５Ｖよりも高い電圧に耐えられない新たに接続された電子デバイスへの如何なる潜在的なダメージも回避するために、直流５Ｖの電圧を出力するよう戻る必要があるかどうかを有効に判定することができる。一例において、タブレット型コンピュータ１０１が所定のパルスを周期的に送信するための期間は、１秒であり、ＰＳＵ１０２に設定される所定の時間は、０．５秒である。
【００２６】
図２は、本発明の実施形態に従って、タブレット型コンピュータの側での、ＵＳＢ接続によりタブレット型コンピュータを充電する方法のフローチャートである。
【００２７】
図２に示されるように、ステップＳ２０１で、タブレット型コンピュータ１０１は、直流５Ｖの第１の電圧レベルでＰＳＵ１０２によって充電される。
【００２８】
ステップ２０２で、タブレット型コンピュータ１０１は、ＵＳＢポートにおいてデータ通信があるかどうかを検出する。上述されたように、これは、ＵＳＢポートのＵＳＢ＿ＤＰピン及びＵＳＢ＿ＤＮピンが短絡されているかどうかを検出することによって行われ得る。
【００２９】
ステップ２０２の結果が否（‘いいえ’）である場合には、タブレット型コンピュータ１０１は、直流１２Ｖの第２の電圧レベルで充電されるよう要求するために、ＰＳＵ１０２へメッセージを送信する。ステップＳ２０２の結果が真（‘はい’）である場合には、タブレット型コンピュータ１０１は、何の行動も起こさず、直流５Ｖの第１の電圧レベルでＰＳＵ１０２によって充電され続ける。
【００３０】
タブレット型コンピュータ１０１は、ステップＳ２０２でＵＳＢポートにおいてデータ通信がないと検出する場合に、ＰＳＵ１０２へ周期的にメッセージを送信し続ける。
【００３１】
幾つかの或る条件が上記のプロセスを終了するために設定されてよいことが理解され得る。例えば、上記のプロセスは、タブレット型コンピュータ１０１がＰＳＵ１０２から切り離される場合に終了してよい。これ以上の詳細は、これに関して与えられない。
【００３２】
図３は、本発明の実施形態に従って、電源ユニットの側での、ＵＳＢポートによりタブレット型コンピュータを充電する方法のフローチャートである。
【００３３】
ステップＳ３０１で、ＰＳＵ１０２は、タブレット型コンピュータ１０１を充電するよう直流５Ｖの第１の電圧レベルを出力する。
【００３４】
ステップＳ３０２で、ＰＳＵ１０２は、直流１２Ｖの第２の電圧レベルで充電されるよう要求するためのタブレット型コンピュータ１０１からのメッセージが受信されるかどうかを検出する。
【００３５】
ステップＳ３０２の結果が否（‘いいえ’）である場合には、ＰＳＵ１０２は、タブレット型コンピュータ１０１を充電するよう直流５Ｖの第１の電圧レベルを出力し続ける。
【００３６】
ステップＳ３０２の結果が真（‘はい’）である場合には、ＰＳＵ１０２は、タブレット型コンピュータ１０１を充電するために直流１２Ｖの第２の電圧レベルを出力するよう切り替わる。
【００３７】
次のステップＳ３０４で、ＰＳＵ１０２は、第２の電圧レベルで充電されるよう要求するためのタブレット型コンピュータ１０１からの更なるメッセージが所定の時間内に受信されるかどうかを検出する。
【００３８】
ステップＳ３０４の結果が真（‘はい’）である場合には、ＰＳＵ１０２は、タブレット型コンピュータ１０１を充電するために直流１２Ｖの第２の電圧レベルを出力し続ける。
【００３９】
ステップＳ３０４の結果が否（‘いいえ’）である場合には、ＰＳＵ１０２は、直流５Ｖの第１の電圧レベルを出力するよう戻る。
【００４０】
幾つかの或る条件が上記のプロセスを終了するために設定されてよいことが理解され得る。例えば、上記のプロセスは、タブレット型コンピュータ１０１がＰＳＵ１０２から切り離される場合に終了してよい。この場合に、ＰＳＵ１０２は、電子デバイスと再接続される場合に、ＵＳＢ仕様において定義されるように、直流５Ｖの第１の電圧レベルを出力する。これ以上の詳細は、これに関して与えられない。
【００４１】
本発明は、タブレット型コンピュータがＵＳＢ接続を用いて電力供給ユニットによって充電される実施形態を参照して記載される。本発明は、電子デバイスが、他の電子デバイスによって、又は専用の電源によって、ＵＳＢ接続を用いて充電される全ての用途に適用され得る点が留意されるべきである。
【００４２】
本発明は、ハードウェア、ソフトウェア、ファームウェア、特別目的のプロセッサ、又はそれらの組み合わせの様々な形において実施されてよいことが理解されるべきである。具体的に、本発明は、本発明の実施形態において記載される方法のステップを実行するよう構成されるプロセッサを有する電子デバイスにおいて実施され得る。更に、ソフトウェアは、望ましくは、プログラム記憶デバイスにおいて有形に具現されるアプリケーションプログラムとして実施される。アプリケーションプログラムは、何らかの適切なアーキテクチャを有するマシンによってアップロードされ実行されてよい。望ましくは、マシンは、１つ以上の中央演算処理装置（ＣＰＵ；Central  Processing  Unit）、ランダムアクセスメモリ（ＲＡＭ；Random  Access  Memory）、及び入出力（Ｉ／Ｏ；Input/Output）インターフェイスのようなハードウェアを備えたコンピュータプラットフォームにおいて実施される。コンピュータプラットフォームには、オペレーティングシステム及びマイクロ命令コードが更に含まれる。ここで記載される様々なプロセス及び機能は、オペレーティングシステムを介して実行されるアプリケーションプログラムの部分又はマイクロ命令コードの部分（あるいは、それらの組み合わせ）のいずれかであってよい。加えて、追加データ記憶デバイス及び印刷機のような、様々な他の周辺機器がコンピュータプラットフォームへ接続されてよい。
【００４３】
添付の図において表されている、構成要素であるシステムコンポーネント及び方法ステップは、望ましくは、ソフトウェアにおいて実施されるので、システムコンポーネント（又はプロセスステップ）の間の実際の接続は、本発明がプログラムされる様態に応じて異なってよい。ここでの教示を鑑みて、当業者は、本発明のそれら及び同様の実施又は構成に想到可能である。  
上記の実施形態に加えて、以下の付記を開示する。
（付記１）
ＵＳＢ接続を用いて第２の電子デバイスによって第１の電子デバイスを充電する方法であって、前記第１の電子デバイスの側において、
前記第２の電子デバイスから第１の電圧レベルで電力供給を受けるステップと、
前記ＵＳＢ接続においてデータ通信があるかどうかを検出するステップと、
前記ＵＳＢ接続においてデータ通信がない場合には、前記第１の電圧レベルよりも大きい第２の電圧レベルで充電されるよう要求するためにメッセージを前記第２の電子デバイスへ送信するステップと、
前記第２の電子デバイスから前記第２の電圧レベルで電力供給を受けるステップと
を有する方法。
（付記２）
前記第２の電子デバイスのＵＳＢポートのＵＳＢ＿ＤＰピン及びＵＳＢ＿ＤＮピンが短絡される場合に、前記ＵＳＢ接続においてデータ通信がないと検出するステップ
を更に有する付記１に記載の方法。
（付記３）
前記第１の電圧レベルは５Ｖ直流であり、前記第２の電圧レベルは１２Ｖ直流である、
付記１に記載の方法。
（付記４）
前記第１の電子デバイスのＵＳＢポートのＵＳＢ＿ＤＰピンを介して前記メッセージを送信するステップ
を更に有する付記１に記載の方法。
（付記５）
前記メッセージは周期的に送信される、
付記１に記載の方法。
（付記６）
前記メッセージは心拍パルスの形をとる、
付記５に記載の方法。
（付記７）
前記メッセージを周期的に送信する周期は１秒である、
付記５に記載の方法。
（付記８）
ＵＳＢ接続を用いて第２の電子デバイスによって第１の電子デバイスを充電する方法であって、前記第２の電子デバイスの側において、
前記第１の電子デバイスを充電するよう第１の電圧レベルを出力するステップと、
前記第１の電圧レベルよりも大きい第２の電圧レベルで充電されるよう要求するための前記第１の電子デバイスからのメッセージの受信があると、前記第１の電子デバイスを充電するために前記第２の電圧レベルを出力するよう切り替わるステップと
を有する方法。
（付記９）
前記第２の電子デバイスのＵＳＢポートのＵＳＢ＿ＤＮピンを介して前記メッセージを受信するステップ
を更に有する付記８に記載の方法。
（付記１０）
第２の電圧レベルで充電されるよう要求するための前記第１の電子デバイスからの更なるメッセージが、決定された時間内に受け取られない場合には、前記第１の電圧レベルで前記第１の電子デバイスを充電するよう戻るステップ
を更に有する付記８に記載の方法。
（付記１１）
前記決定された時間は０．５秒である、
付記１０に記載の方法。
（付記１２）
ＵＳＢポートを設けられ、ＵＳＢ接続により電子デバイスから第１の電圧レベルで電力供給を受ける装置であって、
前記ＵＳＢ接続においてデータ通信があるかどうかを検出し、
前記ＵＳＢ接続においてデータ通信がない場合には、前記第１の電圧レベルよりも大きい第２の電圧レベルで充電されるよう要求するためにメッセージを前記電子デバイスへ送信し、
前記電子デバイスから前記第２の電圧レベルで電力供給を受ける
よう構成されるプロセッサを有する装置。
（付記１３）
ＵＳＢポートを設けられ、ＵＳＢ接続により電子デバイスを充電するよう第１の電圧レベルを出力する装置であって、
前記第１の電圧レベルよりも大きい第２の電圧レベルで充電されるよう要求するための前記電子デバイスからのメッセージの受信があると、前記電子デバイスを充電するために前記第２の電圧レベルを出力するよう切り替わる
よう構成されるプロセッサを有する装置。
（付記１４）
当該装置は、自身のバッテリから又はＡＣ電源から他の電子デバイスへ電源を供給する電子デバイスである、
付記１３に記載の装置。
（付記１５）
当該装置は、ＡＣ電源へ接続されるアダプタである、
付記１３に記載の装置。
【図１】
0006643994.tif 000002
【図２】
0006643994.tif 000003
【図３】
0006643994.tif 000004